(57)【要約】【課題】キャビティ内の端子を正規の位置で固定できると共に、コネクタハウジングから端子を分離する分離解体作業が容易等となるコネクタを提供する。【解決手段】複数のキャビティ３と、端子挿入支援治具２０の仮係止部材２９をキャビティ３内まで進入させる治具進入孔４と、複数のキャビティ３を貫通するよう設けられたホルダ収容室６とを有するコネクタハウジング２と、複数のキャビティ３内に各端子取付用口３ａより挿入された端子１０と、ホルダ収容室６に収容され、端子取付用口３ａより端子１０の進入を許容する端子進入許容位置とキャビティ３内の正規位置まで挿入された前記端子１０を係止する端子係止位置との間で変移可能な端子係止ホルダ１５とを備え、キャビティ３には端子取付用口３ａよりキャビティ３の正規位置まで挿入され、且つ、端子係止位置に位置する端子係止ホルダ１５によって係止された端子１０が配置されている。【選択図】図３
2010170791.tif 000002
【特許請求の範囲】
【請求項１】
一端に端子取付用口を有すると共に他端に相手端子挿入口を有する複数のキャビティと、端子挿入支援治具の仮係止部材を前記キャビティ内まで進入させる治具進入孔と、複数の前記キャビティを貫通するよう設けられたホルダ収容室とを有するコネクタハウジングと、
複数の前記キャビティ内に前記各端子取付用口より挿入された端子と、
前記ホルダ収容室に収容され、前記端子取付用口より前記端子の進入を許容する端子進入許容位置と前記キャビティ内の正規位置まで挿入された前記端子を係止する端子係止位置との間で変移可能な端子係止ホルダとを備え、
前記キャビティには前記端子取付用口より前記キャビティの正規位置まで挿入され、且つ、端子係止位置に位置する前記端子係止ホルダによって係止された端子が配置されていることを特徴とするコネクタ。
【請求項２】
一端に端子取付用口を有すると共に他端に相手端子挿入口を有する複数のキャビティと、端子挿入支援治具の仮係止部材を前記キャビティ内まで進入させる治具進入孔と、複数の前記キャビティを貫通するよう設けられたホルダ収容室とを有するコネクタハウジングと、
複数の前記キャビティ内に前記各端子取付用口より挿入された端子と、
前記ホルダ収容室に収容され、前記端子取付用口より前記端子の進入を許容する端子進入許容位置と前記キャビティ内の正規位置まで挿入された前記端子を係止する端子係止位置との間で変移可能な端子係止ホルダとを備え、
前記端子係止ホルダを端子進入許容位置に位置するように前記コネクタハウジングにセットすると共に仮係止部材が前記治具進入孔より前記キャビティに進入するように前記端子挿入支援治具を前記コネクタハウジングに装着するホルダセット・治具装着工程を行い、
次に、前記端子取付用口より前記端子を前記仮係止部材で仮係止されるまで挿入する端子挿入工程を行い、
次に、前記端子係止ホルダを端子進入許容位置から端子係止位置に変移させる端子係止工程を行い、
次に、前記端子挿入支援治具によって前記仮係止部材による前記端子の仮係止を解除し、前記端子挿入支援治具を前記コネクタハウジングより取り外す治具取り外し工程を行い、
前記コネクタハウジングの複数の前記キャビティ内に前記端子係止ホルダによって係止された前記端子を配置したことを特徴とするコネクタの組み付け方法。
【請求項３】
コネクタハウジングに着脱可能であり、且つ、前記コネクタハウジングの装着状態で前記コネクタハウジングの治具進入孔に進入する仮係止部材を有する支援用コネクタハウジングと、前記仮係止部材の仮係止状態を解除できる解除スライダと、前記支援用コネクタハウジングに支持され、前記解除スライダを移動できる解除レバーとを備えたことを特徴とする端子挿入支援治具。
【請求項４】
一端に端子取付用口を有すると共に他端に相手端子挿入口を有する複数のキャビティと、端子挿入支援治具の仮係止部材を前記キャビティ内まで進入させる治具進入孔と、複数の前記キャビティを貫通するよう設けられたホルダ収容室とを有するコネクタハウジングと、
複数の前記キャビティ内に前記各端子取付用口より挿入された端子と、
前記ホルダ収容室に収容され、前記端子取付用口より前記端子の進入を許容する端子進入許容位置と前記キャビティ内の正規位置まで挿入された前記端子を係止する端子係止位置との間で変移可能な端子係止ホルダとを備え、
コネクタハウジングに着脱可能であり、且つ、前記コネクタハウジングの装着状態で前記コネクタハウジングの治具進入孔に進入する仮係止部材を有する支援用コネクタハウジングと、前記仮係止部材の仮係止状態を解除できる解除スライダと、前記支援用コネクタハウジングに支持され、前記解除スライダを操作する解除レバーとを有する端子挿入支援治具を備え、
前記端子係止ホルダを端子進入許容位置に位置するように前記コネクタハウジングにセットすると共に仮係止部材が前記治具進入孔より前記キャビティに進入するように前記端子挿入支援治具を前記コネクタハウジングに装着するホルダセット・治具装着工程を行い、
次に、前記端子取付用口より前記端子を前記仮係止部材で仮係止されるまで挿入する端子挿入工程を行い、
次に、前記端子係止ホルダを端子進入許容位置から端子係止位置に変移する端子係止工程を行い、
次に、前記端子挿入支援治具の前記解除レバーを操作して前記解除スライダによって前記仮係止部材による前記端子の仮係止を解除し、前記仮係止部材を前記治具進入孔より退出させて前記端子挿入支援治具を前記コネクタハウジングより取り外す治具取り外し工程を行い、
前記コネクタハウジングの複数の前記キャビティ内に前記端子係止ホルダによって係止された前記端子を配置したことを特徴とするコネクタの組み付け方法。
【請求項５】
請求項３記載の端子挿入支援治具であって、
前記各仮係止部材は、導電性部材で、且つ、前記コネクタハウジングに進入する側とは反対側が端子部としてそれぞれ形成されていると共に、
前記支援用コネクタハウジングには検査用コネクタが装着され、前記検査用コネクタの各端子と前記各端子部が導通されていることを特徴とする端子挿入支援治具。
【請求項６】
請求項４記載のコネクタの組み付け方法であって、
前記各仮係止部材は、導電性部材で、且つ、前記コネクタハウジングに進入する側とは反対側が端子部として形成され、
前記支援用コネクタハウジングには検査用コネクタが装着され、前記検査用コネクタの各端子と前記各端子部が導通され、
端子挿入工程後から治具取り外し工程前に、前記検査用コネクタを用いて前記コネクタハウジングに配置した前記端子の導通状態をチェックする回路検査工程を行うことを特徴とするコネクタの組み付け方法。
【発明の詳細な説明】
【技術分野】
【０００１】
本発明は、コネクタハウジングのキャビティに端子を配置するコネクタ、及び、コネクタの組み付け方法、及び、コネクタの組み付けに使用する端子挿入支援治具に関する。
【背景技術】
【０００２】
この種の従来のコネクタとしては、特許文献１に開示されたものがある。このコネクタ１００は、図１４に示すように、コネクタハウジング１０１を有する。このコネクタハウジング１０１には、端子１１０が配置された複数のキャビティ１０２が設けられている。各キャビティ１０２は、その一端に端子取付用口１０２ａを、他端に相手端子挿入口１０２ｂを有する。各キャビティ１０２には、コネクタハウジング１０１にランス１０３がそれぞれ突出されている。各ランス１０３は、コネクタハウジング１０１に一体に形成されている。このランス１０３が弾性復帰力によって端子１１０に係止され、これによって端子１１０が正規の位置に固定されている。又、各キャビティ１０２の相手端子挿入口１０２ｂ側にはランス解除用治具挿入孔１０４がそれぞれ設けられている。
【０００３】
尚、図１４にあって、上段の端子１１０は、正規位置まで挿入された状態を、下段の端子１１０は、途中位置まで挿入された状態を示している。
【先行技術文献】
【特許文献】
【０００４】
【特許文献１】実開平７−３４５６９号公報（図６参照）
【発明の概要】
【発明が解決しようとする課題】
【０００５】
しかしながら、前記従来例のコネクタ１００では、コネクタ１００の分離解体作業が面倒である。つまり、ランス解除用治具挿入孔１０４より治具（図示せず）をキャビティ１０２に挿入し、ランス１０３を強制的に端子解除位置とする。このランス１０３の解除位置を維持した状態でキャビティ１０２内の端子１１０を端子取付用口１０２ａから取り出す必要があるため、コネクタ１００の分離解体作業が面倒であるという問題がある。
【０００６】
また、コネクタハウジング１０１には、キャビティ１０２毎にランス１０３を一体に設ける必要があるため、コネクタハウジング１０１の軽量化が図れないと共にコネクタハウジング１０１の金型の構造が複雑であるという問題がある。
【０００７】
そこで、本発明は、前記した課題を解決すべくなされたものであり、キャビティ内の端子を正規の位置で固定できると共に、コネクタハウジングから端子を分離する分離解体作業が容易であり、しかも、コネクタハウジングの軽量化及び金型の簡素化になるコネクタ、及び、このようなコネクタの組み付け方法、及び、このようなコネクタの組み付け方法に使用する端子挿入支援治具を提供することを目的とする。
【課題を解決するための手段】
【０００８】
請求項１の発明は、一端に端子取付用口を有すると共に他端に相手端子挿入口を有する複数のキャビティと、端子挿入支援治具の仮係止部材を前記キャビティ内まで進入させる治具進入孔と、複数の前記キャビティを貫通するよう設けられたホルダ収容室とを有するコネクタハウジングと、複数の前記キャビティ内に前記各端子取付用口より挿入された端子と、前記ホルダ収容室に収容され、前記端子取付用口より前記端子の進入を許容する端子進入許容位置と前記キャビティ内の正規位置まで挿入された前記端子を係止する端子係止位置との間で変移可能な端子係止ホルダとを備え、前記キャビティには前記端子取付用口より前記キャビティの正規位置まで挿入され、且つ、端子係止位置に位置する前記端子係止ホルダによって係止された端子が配置されていることを特徴とするコネクタである。
【０００９】
請求項２の発明は、一端に端子取付用口を有すると共に他端に相手端子挿入口を有する複数のキャビティと、端子挿入支援治具の仮係止部材を前記キャビティ内まで進入させる治具進入孔と、複数の前記キャビティを貫通するよう設けられたホルダ収容室とを有するコネクタハウジングと、複数の前記キャビティ内に前記各端子取付用口より挿入された端子と、前記ホルダ収容室に収容され、前記端子取付用口より前記端子の進入を許容する端子進入許容位置と前記キャビティ内の正規位置まで挿入された前記端子を係止する端子係止位置との間で変移可能な端子係止ホルダとを備え、前記端子係止ホルダを端子進入許容位置に位置するように前記コネクタハウジングにセットすると共に仮係止部材が前記治具進入孔より前記キャビティに進入するように前記端子挿入支援治具を前記コネクタハウジングに装着するホルダセット・治具装着工程を行い、次に、前記端子取付用口より前記端子を前記仮係止部材で仮係止されるまで挿入する端子挿入工程を行い、次に、前記端子係止ホルダを端子進入許容位置から端子係止位置に変移させる端子係止工程を行い、次に、前記端子挿入支援治具によって前記仮係止部材による前記端子の仮係止を解除し、前記端子挿入支援治具を前記コネクタハウジングより取り外す治具取り外し工程を行い、前記コネクタハウジングの複数の前記キャビティ内に前記端子係止ホルダによって係止された前記端子を配置したことを特徴とするコネクタの組み付け方法である。
【００１０】
請求項３の発明は、コネクタハウジングに着脱可能であり、且つ、前記コネクタハウジングの装着状態で前記コネクタハウジングの治具進入孔に進入する仮係止部材を有する支援用コネクタハウジングと、前記仮係止部材の仮係止状態を解除できる解除スライダと、前記支援用コネクタハウジングに支持され、前記解除スライダを移動できる解除レバーとを備えたことを特徴とする端子挿入支援治具である。
【００１１】
請求項４の発明は、一端に端子取付用口を有すると共に他端に相手端子挿入口を有する複数のキャビティと、端子挿入支援治具の仮係止部材を前記キャビティ内まで進入させる治具進入孔と、複数の前記キャビティを貫通するよう設けられたホルダ収容室とを有するコネクタハウジングと、複数の前記キャビティ内に前記各端子取付用口より挿入された端子と、前記ホルダ収容室に収容され、前記端子取付用口より前記端子の進入を許容する端子進入許容位置と前記キャビティ内の正規位置まで挿入された前記端子を係止する端子係止位置との間で変移可能な端子係止ホルダとを備え、前記コネクタハウジングに着脱可能であり、且つ、前記コネクタハウジングの装着状態で前記コネクタハウジングの治具進入孔に進入する仮係止部材を有する支援用コネクタハウジングと、前記仮係止部材の仮係止状態を解除できる解除スライダと、前記支援用コネクタハウジングに支持され、前記解除スライダを操作する解除レバーとを備えたことを特徴とする端子挿入支援治具とを備え、前記端子係止ホルダを端子進入許容位置に位置するように前記コネクタハウジングにセットすると共に仮係止部材が前記治具進入孔より前記キャビティに進入するように前記端子挿入支援治具を前記コネクタハウジングに装着するホルダセット・治具装着工程を行い、次に、前記端子取付用口より前記端子を前記仮係止部材で仮係止されるまで挿入する端子挿入工程を行い、次に、前記端子係止ホルダを端子進入許容位置から端子係止位置に変移する端子係止工程を行い、次に、前記端子挿入支援治具の前記解除レバーを操作して前記解除スライダによって前記仮係止部材による前記端子の仮係止を解除し、前記仮係止部材を前記治具進入孔より退出させて前記端子挿入支援治具を前記コネクタハウジングより取り外す治具取り外し工程を行い、前記コネクタハウジングの複数の前記キャビティ内に前記端子係止ホルダによって係止された前記端子を配置したことを特徴とするコネクタの組み付け方法である。
【００１２】
請求項５の発明は、請求項３記載の端子挿入支援治具であって、前記仮係止部材は、導電性部材で、且つ、前記コネクタハウジングに進入する側とは反対側が端子部として形成され、前記支援用コネクタハウジングには検査用コネクタが装着され、前記検査用コネクタの検査用端子と前記端子部が導通されていることを特徴とする端子挿入支援治具である。
【００１３】
請求項６の発明は、請求項５記載のコネクタの組み付け方法であって、前記仮係止部材は、導電性部材で、且つ、前記コネクタハウジングに進入する側とは反対側が端子部として形成され、前記支援用コネクタハウジングには検査用コネクタが装着され、前記検査用コネクタの検査用端子と前記端子部が導通され、端子挿入工程後から治具取り外し工程前に、前記検査用コネクタを用いて前記コネクタハウジングに配置した前記端子の導通状態をチェックする回路検査工程を行うことを特徴とするコネクタの組み付け方法である。
【発明の効果】
【００１４】
請求項１及び請求項２の発明によれば、キャビティ内の端子は端子係止ホルダに係止されることによって正規位置で固定されており、コネクタハウジングより端子を取り出すには、端子係止ホルダを端子係止位置から端子進入許容位置に変移し、キャビティ内の端子を端子取付用口から取り出すことができる。従って、キャビティ内の端子を正規位置で固定できると共に、コネクタハウジングから端子を分離する分離解体作業が容易である。又、コネクタハウジングには、キャビティ毎にランスを一体に設ける必要がなく、その代わりに端子係止ホルダを変移自在に収容するホルダ収容室を形成すれば良いため、コネクタハウジングの軽量化、及び、コネクタハウジング用の金型の簡素化になる。
【００１５】
請求項３発明によれば、ランスではなく端子係止ホルダで端子を係止するコネクタの組み付けに好適な端子挿入支援治具を提供できる。
【００１６】
請求項４発明によれば、ランスではなく端子係止ホルダで端子を係止するコネクタの組み付けを容易に行うことができる。
【００１７】
請求項５及び請求項６の発明によれば、コネクタの組み付け過程で回路検査を行うことができるため、組み付け作業性が向上する。
【図面の簡単な説明】
【００１８】
【図１】本発明の一実施形態を示し、コネクタと端子挿入支援治具と検査用コネクタの分解斜視図である。
【図２】本発明の一実施形態を示し、（ａ）はコネクタの端子取付用口側を見た斜視図、（ｂ）はコネクタの相手端子挿入口側を見た斜視図である。
【図３】本発明の一実施形態を示し、図２（ａ）のＡ−Ａ線断面図である。
【図４】本発明の一実施形態を示し、端子係止ホルダが端子許容位置に位置するコネクタの正面図である。
【図５】本発明の一実施形態を示し、（ａ）は図４のＢ−Ｂ線断面図、（ｂ）は図４のＣ−Ｃ線断面図である。
【図６】本発明の一実施形態を示し、（ａ）は端子の斜視図、（ｂ）は端子の（ａ）の反対側を見た斜視図、（ｃ）は端子の側面図である。
【図７】本発明の一実施形態を示し、（ａ）は端子挿入支援治具の正面図、（ｂ）は端子挿入支援治具の側面図である。
【図８】本発明の一実施形態を示し、図７（ａ）のＤ−Ｄ線断面図である。
【図９】本発明の一実施形態を示し、（ａ）、（ｂ）はそれぞれ仮係止部材の斜視図である。
【図１０】本発明の一実施形態を示し、解除スライダの斜視図である。
【図１１】本発明の一実施形態を示し、コネクタに端子挿入支援治具を装着した状態の斜視図である。
【図１２】本発明の一実施形態を示し、コネクタに端子挿入支援治具を装着した状態の正面図である。
【図１３】本発明の一実施形態を示し、図１２のＥ−Ｅ線断面図である。
【図１４】従来例のコネクタの断面図である。
【発明を実施するための形態】
【００１９】
以下、本発明の一実施形態を図面に基づいて説明する。
【００２０】
図１はコネクタ１と端子挿入支援治具２０と検査用コネクタ４０の分解斜視図である。図１において、コネクタ１は、コネクタハウジング２内の端子１０の取り付けを端子挿入支援治具２０を用いて行う。端子挿入支援治具２０には、取り付けた端子１０の導通状態等、つまり、回路検査用の検査用コネクタ４０が着脱自在に設けられている。以下、コネクタ１、端子挿入支援治具２０及び検査用コネクタ４０の各構成と、コネクタ１の組み付け作業を順次説明する。
【００２１】
（コネクタ）
図２（ａ）はコネクタ１の端子取付用口３ａ側を見た斜視図、図２（ｂ）はコネクタ１の相手端子挿入口３ｂ側を見た斜視図、図３は図２（ａ）のＡ−Ａ線断面図、図４は端子係止ホルダ１５が端子許容位置に位置するコネクタ１の正面図、図５（ａ）は図４のＢ−Ｂ線断面図、図５（ｂ）は図４のＣ−Ｃ線断面図、図６（ａ）は端子１０の斜視図、図６（ｂ）は端子１０の図６（ａ）の反対側を見た斜視図、図６（ｃ）は端子１０の側面図である。
【００２２】
図２（ａ）、（ｂ）及び図３に示すように、コネクタ１は、合成樹脂製のコネクタハウジング２を有する。コネクタハウジング２は、上下２段に配列された複数のキャビティ３が設けられている。各キャビティ３は、その一端に端子取付用口３ａを有すると共に他端に相手端子挿入口３ｂを有する。端子取付用口３ａよりキャビティ３内に端子１０が挿入される。相手端子挿入口３ｂより相手コネクタ（図示せず）の端子（図示せず）が挿入され、双方の端子１０，（図示せず）が導通状態とされる。コネクタハウジング２には、仮係止部材２９が進入する治具進入孔４が設けられている。各治具進入孔４は、その一端が相手端子挿入口３ｂ側のハウジング壁面に、他端側がキャビティ３の上方に開口している。
【００２３】
コネクタハウジング２の上面側には、ハウジング用ロック部５が設けられている。このハウジング用ロック部５は、相手コネクタ（図示せず）のロックに使用されるが、コネクタ１の組み付け作業では、下記するように端子挿入支援治具２０の支援用コネクタハウジング２１のロックにも使用される。
【００２４】
図３〜図５（ａ）、（ｂ）に示すように、コネクタハウジング２には、上下２段の全てのキャビティ３を貫通するホルダ収容室６が設けられている。このホルダ収容室６は、コネクタハウジング２の下面に開口している。ホルダ収容室６には、この下面の開口より端子係止ホルダ１５が挿入されている。
【００２５】
端子係止ホルダ１５は、図５（ａ）、（ｂ）にて実線で示す端子進入許容位置と、図５（ａ）、（ｂ）にて仮想線及び図３にて実線で示す端子係止位置との間で変移できる。端子進入許容位置では、キャビティ３内に突出せずにキャビティ３内への端子１０の挿入を許容し、端子係止位置では、キャビティ３内に突出し、キャビティ３の正規位置に位置する端子１０に係止する。端子係止ホルダ１５は、端子進入許容位置と端子係止位置の各位置で、端子係止ホルダ１５の２箇所のホルダ側係止爪１６とコネクタハウジング２の２箇所のハウジング側係止爪１７によってそれぞれロックされる。
【００２６】
図６（ａ）、（ｂ）、（ｃ）に示すように、端子１０は導電性金属材を所定形状に打ち抜き、且つ、これを折り曲げ加工することにより形成されている。端子１０は、雌端子であり、方形状に囲まれ、相手の雄端子（図示せず）が挿入されて電気的に接触する端子接続部１１と、電線の導電線部を加締めることによって接続する電線接続部１２と、端子接続部１１と電線接続部１２を連結する連結部１３が一体に設けられている。端子１０は、その端子接続部１１を先頭として端子取付用口３ａよりキャビティ３内に挿入されている。
【００２７】
端子接続部１１の一面には仮係止凹部１４ａが設けられている。又、仮係止凹部１４ａが設けられた反対面側は、端子接続部１１より連結部１３が一段低く設定され、これによって本係止凹部１４ｂが設けられている。この本係止凹部１４ｂに、端子係止位置に位置する端子係止ホルダ１５が係止されている。
【００２８】
（端子挿入支援治具）
図７（ａ）は端子挿入支援治具２０の正面図、図７（ｂ）は端子挿入支援治具２０の側面図、図８は図７（ａ）のＤ−Ｄ線断面図、図９（ａ）、（ｂ）はそれぞれ仮係止部材２９の斜視図、図１０は解除スライダ３０の斜視図である。
【００２９】
図７（ａ）、（ｂ）及び図８に示すように、端子挿入支援治具２０は、コネクタ１のコネクタハウジング２に着脱可能である支援用コネクタハウジング２１と、この支援用コネクタハウジング２１に揺動自在に支持された解除スライダ３０と、この解除スライダ３０を操作によって移動できる解除レバー３５とを備えている。
【００３０】
支援用コネクタハウジング２１の仕切壁２１ａより前方には、前方面が開放されたコネクタ嵌合室２２が設けられている。支援用コネクタハウジング２１には、コネクタ嵌合室２２の上面に臨むようにハウジング用ロック部２３が設けられている。コネクタ嵌合室２２に挿入されたコネクタハウジング２は、双方のハウジング用ロック部５，２３同士が係止することによってロックされる。
【００３１】
支援用コネクタハウジング２１の仕切壁２１ａより後方には、スライダ収容室２４と、このスライダ収容室２４に連通し、且つ、後方面が開放されたコネクタ嵌合室２５が設けられている。支援用コネクタハウジング２１には、コネクタ嵌合室２５の下面に臨むようにハウジング用ロック部２６が設けられている。コネクタ嵌合室２５に挿入された検査用コネクタハウジング４１は、双方のハウジング用ロック部２６，４３同士が係止することによってロックされる。
【００３２】
支援用コネクタハウジング２１の仕切壁２１ａより前方部の両側面には、回転支持ピン２７（図１に示す）が突設されている。支援用コネクタハウジング２１の仕切壁２１ａより後方部の両側壁には、水平方向に延びるガイド長溝２８が設けられている。
【００３３】
支援用コネクタハウジング２１の仕切壁２１ａには、インサート成形や圧入によって複数の仮係止部材２９が固定されている。各仮係止部材２９は、コネクタ１のコネクタハウジング２の各キャビティ３に対応する位置に設けられ、前方側と後方側の双方のコネクタ嵌合室２２，２５にそれぞれ突出されている。支援用コネクタハウジング２１の仕切壁２１ａには、スライダ本体３１の各仮係止解除部材３２が貫通するためのスライダ用孔２１ｂ（図１３に示す）が設けられている。
【００３４】
各仮係止部材２９は、図９（ａ）、（ｂ）に詳しく示すように、導電性部材で形成され、前方側の先端には仮係止用突起２９ａと解除用突起２９ｂが設けられている。又、各仮係止部材２９の後方側（前方のコネクタハウジング２に進入する側とは反対側）は、端子部である雄端子部２９ｃとして形成されている。
【００３５】
解除スライダ３０は、図１０に詳しく示すように、合成樹脂製であり、スライダ本体３１と、このスライダ本体３１の前面より前方に向かって突出された複数の仮係止解除部材３２と、スライダ本体３１の両側部に設けられたカムピン３３とを備えている。
【００３６】
スライダ本体３１には、仮係止部材２９の雄端子部２９ｃ側が貫通する端子貫通孔３１ａが設けられている。この端子貫通孔３１ａを貫通して仮係止部材２９の雄端子部２９ｃが後方のコネクタ嵌合室２５に突出している。仮係止解除部材３２は、コネクタ１のコネクタハウジング２の各キャビティ３に対応する位置に設けられ、仕切壁２１ａのスライダ用孔２１ｂ（図１３に示す）より前方のコネクタ嵌合室２２に突出されている。仮係止解除部材３２の先端部には、仮係止部材２９の解除用突起２９ｂにのみ干渉し、仮係止用突起２９ａに干渉しないように切欠部３２ａが設けられている。両側のカムピン３３は、支援用コネクタハウジング２１のガイド長溝２８に挿入されている。
【００３７】
解除レバー３５は、一対のアーム部３６とこれらを連結する連結部３７とを有する。一対のアーム部３６にはピン挿入支持部３８がそれぞれ設けられていると共にカム溝３９がそれぞれ設けられている。支援用コネクタハウジング２１のガイド長溝２８に挿入されたカムピン３３は、解除レバー３５のカム溝３９にも挿入されている。これによって、解除レバー３５は、支援用コネクタハウジング２１に揺動自在に支持され、この揺動によって解除スライダ３０を移動させることができる。解除スライダ３０は、仮係止解除部材３２が仮係止部材２９の仮係止位置を維持する待機位置（図１１及び図１３の実線位置）と仮係止解除部材３２が仮係止部材２９の仮係止を解除する解除位置（図１１及び図１３の仮想線位置）との間で変移される。
【００３８】
（検査用コネクタ）
図１、図１１〜図１３に示すように、検査用コネクタ４０は、前記したコネクタ１と同様の構成であり、ハウジング用ロック部４３を有する検査用コネクタハウジング４１と、検査用コネクタハウジング４１の各キャビティ４２に配置された複数の検査用端子５０と、複数の検査用端子５０をキャビティ４２内の正規位置で固定する端子係止ホルダ５５とを備えている。支援用コネクタハウジング２１に検査用コネクタハウジング４１が装着された状態では、各端子１０が検査用コネクタ４０の各検査用端子５０と導通状態となる。
【００３９】
検査用コネクタハウジング４１と検査用端子５０と端子係止ホルダ５５の構成は、前記したコネクタ１のものと同様であるためその説明を省略する。つまり、検査用コネクタ４０は、本発明に係るコネクタ１と同一のものが使用されている。
【００４０】
（コネクタの組み付け手順）
図１１はコネクタ１に端子挿入支援治具２０を装着した状態の斜視図、図１２はコネクタ１に端子挿入支援治具２０を装着した状態の正面図、図１３は図１２のＥ−Ｅ線断面図である。
【００４１】
次に、コネクタ１の組み付け手順を説明する。支援用コネクタハウジング２１には検査用コネクタ４０が予め装着されているものとする。
【００４２】
先ず、図４及び図５（ａ）、（ｂ）に示すように、端子係止ホルダ１５を端子進入許容位置に位置するようにコネクタハウジング２のホルダ収容室６にセットする。又、図１１〜図１３に示すように、端子挿入支援治具２０の支援用コネクタハウジング２１にコネクタハウジング２に挿入し、双方のハウジング用ロック部５，２３をロック状態として双方のコネクタハウジング２，２１同士を嵌合する。これにより、複数の仮係止部材２９及び仮係止解除部材３２を各治具進入孔４より全てのキャビティ３内に進入させる（ホルダセット・治具装着工程）。
【００４３】
次に、各端子取付用口３ａより各キャビティ３内に端子１０を挿入し、端子１０が仮係止部材２９で仮係止されるまで挿入する（端子挿入工程）。
【００４４】
具体的には、端子１０を挿入すると、端子１０の先端が仮係止部材２９の仮係止用突起２９ａに干渉するが、仮係止部材２９が弾性たわみ変形することによって端子１０の挿入が許容される。そして、端子１０がキャビティ３内の正規位置まで挿入されると、端子１０の仮係止凹部１４ａの位置が仮係止部材２９の仮係止用突起２９ａの位置に一致し、仮係止部材２９が弾性復帰変形して仮係止用突起２９ａが端子１０の仮係止凹部１４ａに係止される。このようにして、所望数の端子１０を所望のキャビティ３内の正規位置に仮係止する。
【００４５】
次に、端子係止ホルダ１５を端子進入許容位置から端子係止位置に変移させる（端子係止工程）。これにより、キャビティ３内に配置された全ての端子１０の本係止凹部１４ｂに端子係止ホルダ１５が係止し、全ての端子１０が同時に係止される。図１１〜図１３は端子係止工程後の状態を示す。
【００４６】
次に、検査用コネクタ４０を用いてコネクタハウジング２に配置した端子１０の導通状態等、つまり、回路チェックを行う（回路検査工程）。回路検査工程は、端子挿入工程後から次の治具取り外し工程前のいずれかの段階で行えば良いが、本係止状態の端子１０に基づく回路状態をチェックできるため、端子係止工程後に行うのが好ましい。
【００４７】
次に、端子挿入支援治具２０の解除レバー３５を図１３のｂ方向に操作する。すると、解除スライダ３０が図１３のｃ矢印方向に移動する。この移動によって仮係止解除部材３２が仮係止部材２９を弾性撓み変形させ、これによって端子１０の仮係止が解除される。次に、端子挿入支援治具２０の支援用コネクタハウジング２１とコネクタハウジング２間のハウジング用ロック部５．２３を解除し、支援用コネクタハウジング２１をコネクタハウジング２より引き離す。これにより、仮係止部材２９及び仮係止解除部材３２がコネクタハウジング２の治具進入孔４より退出する（治具取り外し工程）。
【００４８】
これで、組み付け作業が完了する。コネクタハウジング２の複数のキャビティ３内には端子係止ホルダ１５によって係止された複数の端子１０が配置される。
【００４９】
以上説明したように、コネクタ１は、複数のキャビティ３と治具進入孔４とホルダ収容室６とを有するコネクタハウジング２と、複数のキャビティ３内に配置された端子１０と、ホルダ収容室６に収容された端子係止ホルダ１５とを備え、キャビティ３には端子取付用口３ａよりキャビティ３の正規位置まで挿入され、且つ、端子係止ホルダ１５によって係止された端子１０が配置されている。従って、キャビティ３内の端子１０は端子係止ホルダ１５に係止されることによって正規位置で固定されており、コネクタハウジング２より端子１０を取り出すには、端子係止ホルダ１５を端子係止位置から端子進入許容位置に変移し、キャビティ３内の端子１０を端子取付用口３ａから取り出すことができる。従って、キャビティ３内の端子１０を正規位置で固定できると共に、コネクタハウジング２から端子１０を分離する分離解体作業が容易である。又、コネクタハウジング２には、キャビティ３毎にランスを一体に設ける必要がなく、その代わりに端子係止ホルダ１５を変移自在に収容するホルダ収容室６を形成すれば良いため、コネクタハウジング２の軽量化及び金型の構成の簡素化となる。
【００５０】
また、コネクタ１は、端子係止ホルダ１５をコネクタハウジング２にセットし、端子挿入支援治具２０をコネクタハウジング２に装着するホルダセット・治具装着工程を行い、端子１０を仮係止部材２９で仮係止されるまで挿入する端子挿入工程を行い、端子係止ホルダ１５を端子進入許容位置から端子係止位置に変移させる端子係止工程を行い、端子挿入支援治具２０によって端子１０の仮係止を解除し、端子挿入支援治具２０をコネクタハウジング２より取り外す治具取り外し工程を行うことによって組み付けた。従って、端子挿入支援治具２０を用いて端子１０をキャビティ３内の正規位置に仮係止でき、その後、端子係止ホルダ１５によって端子１０を係止し、その後、端子挿入支援治具２０をコネクタハウジング２より取り外すことによってコネクタ１を組み付けできる。
【００５１】
端子挿入支援治具２０は、コネクタハウジング２に着脱可能であり、且つ、コネクタハウジング２の装着状態でコネクタハウジング２の治具進入孔４に進入する仮係止部材２９を有する支援用コネクタハウジング２１と、仮係止部材２９の仮係止状態を解除できる解除スライダ３０と、解除スライダ３０を操作する解除レバー３５とを備えている。従って、コネクタ１の組み付け方法に使用するに好適な端子挿入支援治具２０を提供できる。
【００５２】
この実施形態では、仮係止部材２９は、導電性部材で、且つ、コネクタハウジング２に進入する側とは反対側が雄端子部２９ｃとして形成され、支援用コネクタハウジング２１には検査用コネクタハウジング４１が装着され、検査用コネクタ４０の各検査用端子５０と各端子１０が導通されている。従って、コネクタ１の組み付け過程でキャビティ３内に取り付けた端子１０に基づく回路検査を行うことができるため、組み付け作業性が向上する。
【００５３】
この実施形態では、端子挿入支援治具２０に検査用コネクタ４０が着脱自在に設けられているので、コネクタ１の回路内容に応じて検査用コネクタ４０を変更できるという利点がある。
【００５４】
（その他）
尚、前記実施形態によれば、コネクタハウジング２の各治具進入孔４は、仮係止部材２９と仮係止解除部材３２の双方が進入するよう構成されているが、仮係止部材２９の仮係止解除をコネクタハウジング２の外部よりできる構造であれば、仮係止部材２９のみ進入できる構成とすれば良い。尚、各治具進入孔４は、各相手端子挿入口３ｂと兼用するよう構成しても良い。
【００５５】
尚、前記実施形態によれば、コネクタハウジング２のキャビティ３は上下２段に設けられているが、１段に設けても、３段以上に設けても良い。
【符号の説明】
【００５６】
１  コネクタ
２  コネクタハウジング
３  キャビティ
３ａ  端子取付口
３ｂ  相手端子挿入口
４  治具挿入孔
６  ホルダ収容室
１０  端子
１５  端子係止ホルダ
２０  端子挿入支援治具
２１  支援用コネクタハウジング
２９  仮係止部材
２９ｃ  雄端子部（端子部）
３０  解除スライダ
３５  操作レバー
４０  検査用コネクタ
５０  検査用端子
【図１】
2010170791.tif 000003
【図２】
2010170791.tif 000004
【図３】
2010170791.tif 000005
【図４】
2010170791.tif 000006
【図５】
2010170791.tif 000007
【図６】
2010170791.tif 000008
【図７】
2010170791.tif 000009
【図８】
2010170791.tif 000010
【図９】
2010170791.tif 000011
【図１０】
2010170791.tif 000012
【図１１】
2010170791.tif 000013
【図１２】
2010170791.tif 000014
【図１３】
2010170791.tif 000015
【図１４】
2010170791.tif 000016